(57)【要約】【課題】ストラップ取付部材の近傍に外装部材を配置することが可能な小型の電子機器を提供する。【解決手段】電子機器（１）は、ストラップを取付可能なストラップ取付部材（９）と、第一のビス（１５）によりストラップ取付部材を保持する保持部材（１２）と、ストラップ取付部材の一部を露出させる開口が形成された外装部材（１８、１９）と、第二のビス（１４、１６）により保持部材が固定される本体部材（１３）とを有し、外装部材は、第三のビス（１７）により保持部材に固定されている。【選択図】図３
2020118824.tif 000002
【特許請求の範囲】
【請求項１】
ストラップを取付可能なストラップ取付部材と、
第一のビスにより前記ストラップ取付部材を保持する保持部材と、
前記ストラップ取付部材の一部を露出させる開口が形成された外装部材と、
第二のビスにより前記保持部材が固定される本体部材と、を有し、
前記外装部材は、第三のビスにより前記保持部材に固定されていることを特徴とする電子機器。
【請求項２】
前記保持部材は、腕部を有し、
前記外装部材は、前記第三のビスにより前記保持部材の前記腕部に固定されていることを特徴とする請求項１に記載の電子機器。
【請求項３】
前記保持部材の前記腕部は、前記第三のビスを固定するビス固定部を有することを特徴とする請求項２に記載の電子機器。
【請求項４】
前記ストラップ取付部材は、開口が形成された曲げ部を有し、
前記保持部材の前記腕部は、前記ストラップ取付部材の前記開口に挿入されていることを特徴とする請求項２または３に記載の電子機器。
【請求項５】
前記保持部材は、第一の面と、前記第一の面の両端にそれぞれ設けられた第二の面および第三の面と、を有し、
前記ストラップ取付部材の一部は、前記保持部材の前記第一の面で覆われており、
前記保持部材は、前記第二の面および前記第三の面において、前記第二のビスにより前記本体部材に固定されていることを特徴する請求項１乃至４のいずれか１項に記載の電子機器。
【請求項６】
ストロボをポップアップするストロボレバーを更に有し、
前記ストロボレバーは、前記ストラップ取付部材と前記本体部材との間に配置されていることを特徴とする請求項１乃至５のいずれか１項に記載の電子機器。
【請求項７】
前記ストロボレバーには、前記第一のビスと異なる位置に、前記ストロボレバーの移動を補助する摺動リブが設けられていることを特徴する請求項６に記載の電子機器。
【請求項８】
前記ストラップ取付部材のストラップを取り付ける開口の長手方向の中心と、前記保持部材の前記第三のビスを固定するビス固定部の中心と、前記第一のビスの中心とは同一直線上にあることを特徴する請求項１乃至７のいずれか１項に記載の電子機器。
【請求項９】
前記ストラップ取付部材は金属からなることを特徴とする請求項１乃至８のいずれか１項に記載の電子機器。
【請求項１０】
前記電子機器は撮像装置であることを特徴とする請求項１乃至９のいずれか１項に記載の電子機器。
【発明の詳細な説明】
【技術分野】
【０００１】
本発明は、ストラップ取付部材を有する電子機器に関する。
【背景技術】
【０００２】
従来、ストラップ取付部材を有するデジタルカメラや携帯電話などの電子機器が知られている。特許文献１には、２つの開口が形成されたストラップ取付部を有する電子機器が開示されている。また特許文献１には、ストラップ取付部材をヘミング曲げすることで２つの開口を重ね、外観側の開口の大きさを内観側の開口の大きさよりも小さくすることが開示されている。
【先行技術文献】
【特許文献】
【０００３】
【特許文献１】特開２０１４−２３５２０７号公報
【発明の概要】
【発明が解決しようとする課題】
【０００４】
しかしながら、特許文献１に開示された電子機器では、ストラップ取付部材をヘミング曲げにより重ねているため、ストラップ取付部材の厚みが増加し、電子機器の小型化が困難である。また、ストラップ取付部材の近傍に外装部材を配置するための構造が開示されている。
【０００５】
そこで本発明は、ストラップ取付部材の近傍に外装部材を配置することが可能な小型の電子機器を提供することを目的とする。
【課題を解決するための手段】
【０００６】
本発明の一側面としての電子機器は、ストラップを取付可能なストラップ取付部材と、第一のビスにより前記ストラップ取付部材を保持する保持部材と、前記ストラップ取付部材の一部を露出させる開口が形成された外装部材と、第二のビスにより前記保持部材が固定される本体部材とを有し、前記外装部材は、第三のビスにより前記保持部材に固定されている。
【０００７】
本発明の他の目的及び特徴は、以下の実施形態において説明される。
【発明の効果】
【０００８】
本発明によれば、ストラップ取付部材の近傍に外装部材を配置することが可能な小型の電子機器を提供することができる。
【図面の簡単な説明】
【０００９】
【図１】本実施形態におけるデジタルカメラの斜視図である。
【図２】本実施形態におけるストラップ取付ユニットの詳細図である。
【図３】本実施形態におけるストラップ取付ユニットの分解斜視図である。
【図４】本実施形態におけるストラップ取付部材およびストラップ保持部材の詳細図である。
【図５】本実施形態におけるストラップ取付ユニットの断面図である。
【発明を実施するための形態】
【００１０】
以下、本発明の実施形態について、図面を参照しながら詳細に説明する。
【００１１】
まず、図１を参照して、本実施形態におけるデジタルカメラ（電子機器）について説明する。図１は、レンズ交換式のデジタルカメラ１の外観斜視図である。なお本実施形態では、電子機器として撮像装置（デジタルカメラ１）について説明するが、本発明はこれに限定されるものではなく、撮像装置以外の電子機器にも適用可能である。図１において、デジタルカメラ１の光軸と平行な軸をＺ軸とし、デジタルカメラ１の高さ方向をＹ軸とし、デジタルカメラ１の幅方向（横方向）をＸ軸とする。このように定義されたＸＹＺ軸は、他の図においても共通である。ＸＹＺ軸のぞれぞれの＋（プラス）方向は矢印の方向を示し、−（マイナス）方向は、＋方向の矢印の逆方向を示す。
【００１２】
図１に示されるように、デジタルカメラ１は、上面において、電源のＯＮ、ＯＦＦ機能を有する電源ボタン３、並びに、撮影準備および撮影開始を指示するレリーズボタン２を有する。またデジタルカメラ１は、不図示の交換レンズ（レンズ装置）を取り付けるためのカメラマウント４を有する。
【００１３】
カメラマウント４には貫通孔が設けられており、その貫通穴からレンズアンロックピン６が突出している。フロントカバー８からは進退可能なアンロックボタン７が突出している。アンロックボタン７は、レンズアンロックピン６と連動している。ユーザは、デジタルカメラ１に取り付けられた交換レンズを取り外す場合、アンロックボタン７の操作部を押圧操作する。レンズアンロックピン６は、アンロックボタン７の進退動作に連動して、カメラマウント４の外観面よりも下がる。これにより、交換レンズとデジタルカメラ１とのロックが解除され、ユーザはデジタルカメラ１から交換レンズを取り外すことが可能となる。
【００１４】
デジタルカメラ１は、その上面において、ポップアップ式のストロボ５を有する。ストロボ５は、ストロボレバー１１を＋Ｚ軸方向に操作することによりポップアップする。ストロボ５をポップアップさせた状態で閃光発光することで、被写体を照明することができる。
【００１５】
デジタルカメラ１は、デジタルカメラ１の左右の２つの側面のそれぞれに配置されたストラップ取付部材９、１０を有する。デジタルカメラ１の正面から見て、右側にストラップ取付部材９、左側にストラップ取付部材１０が設けられている。本実施形態において、ストラップ取付部材９、１０は金属からなる。ストラップをストラップ取付部材９、１０に取り付けることにより、ユーザはデジタルカメラ１を首から吊り下げることができる。ストラップ取付部材９、１０の一部（外観部）は、サイドカバー（外装部材）１８の開口１８ａから露出しており、ストラップ取付部材９の上部に設けられたビス（第三のビス）１７により締結されている。なお本実施形態において、ストラップ取付部材９、１０の構成は互いに共通であってもよく、または互いに異なっていてもよい。また本発明は、１つのストラップ取付部材９のみを有する電子機器にも適用可能である。
【００１６】
次に、図２および図３を参照して、ストラップ取付部材９を含むストラップ取付ユニットの構造について説明する。図２はストラップ取付ユニットの詳細図であり、図２（ａ）はＹＺ平面図、図２（ｂ）は斜視図をそれぞれ示している。なお図２は、説明を容易にするため、ストラップ取付部材９を取り付けている部位のみを示し、外観部品などの関係ない部品を省略している。図３は、ストラップ取付ユニットの分解斜視図である。
【００１７】
ストラップ取付部材９とストラップ保持部材１２は、本体部材１３に対して位置決めされる。ストラップ保持部材１２は、ストラップ取付部材９を保持する保持部材であり、ビス（第二のビス）１４、１６によって本体部材１３に締結される。具体的には、本体部材１３には位置決め用のボス１３ａ、１３ｂが突出し、ストラップ取付部材９には位置決め用の穴９ｃ、９ｅが形成され、ストラップ保持部材１２には位置決め用の穴１２ａ、１２ｂが形成されている。ストラップ取付部材９の位置決め用の穴９ｃ、９ｅとストラップ保持部材１２の位置決め用の穴１２ａ、１２ｂは、共通の位置決め用のボス１３ａ、１３ｂを通じて、本体部材１３に位置決めされる。本体部材１３にはビス締結用のビス座１３ｃ、１３ｄが設けられており、ストラップ保持部材１２にはビス締結用の穴１２ｅ、１２ｆが設けられている。ビス１４、１６は、穴１２ｅ、１２ｆをそれぞれ挿通し、ビス座１３ｃ、１３ｄに締結することで、ストラップ取付部材９とストラップ保持部材１２を本体部材１３に固定する。
【００１８】
ストラップ取付部材９は、本体部材１３とはビス締結されておらず、ストラップ保持部材１２を介して、本体部材１３にビスで締結される。ストラップ取付部材９とストラップ保持部材１２は、ビス（第一のビス）１５で締結される。ストラップ取付部材９にはビス座９ｄが設けられており、ストラップ保持部材１２にはビス穴１２ｇが設けられている。ビス１５は、ビス穴１２ｇを挿通してビス座９ｄに締結することで、ストラップ保持部材１２をストラップ取付部材９に固定する。図３に示されるように、ストロボレバー１１は、本体部材１３とストラップ取付部材９との間に配置されて組み立てられ、Ｚ方向に移動可能に保持される。
【００１９】
次に、図４を参照して、ストラップ取付部材９およびストラップ保持部材１２の構造について詳述する。図４はストラップ取付部材９およびストラップ保持部材１２の詳細拡大図であり、図４（ａ）、（ｂ）はそれぞれ異なる方向から見た斜視図を示している。図４（ｂ）に示されるように、ストラップ取付部材９には、ストラップを挿通する穴９ａが形成されている。ストラップ取付部材９は、穴９ａが形成された平面から曲げ部９ｆを介して、位置決め用の穴９ｃ、９ｅが形成された取付け面９ｇにつながる。本実施形態では、穴９ａが形成された平面と取付け面９ｇとは垂直（９０度）であるが、これに限定されるものではない。図１に示されるように、ストラップ取付部材９のうち穴９ａが形成された平面のみが外観に露出している。
【００２０】
ストラップ取付部材９の曲げ部９ｆには、開口９ｂが形成されている。ストラップ取付部材９の開口９ｂのＺ方向（開口長手方向）の中心と、ストラップを挿通する穴９ａのＺ方向（開口長手方向）の中心は、同一直線上に配置されている。また、ストラップ取付部材９の開口９ｂの長手方向の中心と、ストラップ保持部材１２の外装部材を締結するビス座１２ｎの中心と、ストラップ取付部材９とストラップ保持部材１２とを締結するビス１５の中心は同一直線上に配置されている。このように、それぞれの中心の位置を同一直線上に配置する（所定の方向から見たときに各中心の位置を一致させる）ことにより、ユーザがストラップを取り付けて前後左右に動かす際に、ストラップ取付部材９にかかる荷重が均等となり、強度の確保が容易である。なお、同一直線上とは、略同一直線上を意味し、厳密に同一直線上である場合に限定されるものではなく実質的に同一な直線上である場合を含む。
【００２１】
図４（ａ）に示されるように、ストラップ保持部材１２は、位置決め用の穴１２ａ、１２ｂが形成された第一の面１２ｈと、ビス穴１２ｅが形成された第二の面１２ｋと、ビス穴１２ｆが形成された第三の面１２ｍを有する。第一の面１２ｈは、ストラップ取付部材９の一部（非外観部）を覆っている。第二の面１２ｋおよび第三の面１２ｍは、第一の面１２ｈよりも−Ｘ方向に位置しており、第一の面１２ｈまで曲げ部を経由してつながっている。第一の面１２ｈには、Ｙ方向に曲げ部を介して延出する腕部１２ｃが設けられている。腕部１２ｃには、ビス１７（図１参照）を締結するビス座（ビス固定部）１２ｎが設けられている。図４（ｂ）に示されるように、第二の面１２ｋには、Ｙ方向に延出する腕部１２ｄが設けられている。図２（ａ）に示されるように、腕部１２ｄの先端は、ストロボ５の回転軸の軸部に圧接されて弾性接触をしており、軸部と電気的導通をとっている。
【００２２】
腕部１２ｄの近傍において、ビス穴１２ｅを介してビス１４で本体１３と締結しているため、腕部１２ｄの弾性変形の影響はストラップ保持部材１２に及ばない。ストラップ保持部材１２の腕部１２ｃは、ストラップ取付部材９の開口９ｂに挿通されている。ビス座１２ｎは、穴９ａが形成された平面よりもＹ方向の上部（＋Ｙ方向）に配置されている。また、ビス座１２ｎのＺ方向の中心は、開口９ｂのＺ方向（開口長手方向）の中心と穴９ａのＺ方向（開口長手方向）の中心のそれぞれと同一直線上に配置されている。それぞれの中心の位置を同一直線上に配置することにより、ビス１７を締結した際に、外観上の見栄えが良くなる。ストラップ保持部材１２の腕部１２ｃがストラップ取付部材９の開口９ｂに挿通された状態で、ビス１５により、ストラップ保持部材１２とストラップ取付部材９が締結される。
【００２３】
次に、図５を参照して、ストラップ取付部材９とストロボレバー１１との関係について詳述する。図５はストラップ取付ユニットの断面図であり、図５（ａ）は図２（ａ）中の線Ａ−Ａで切断したＸＹ平面図、図５（ｂ）は図２（ａ）中の線Ｂ−Ｂで切断したＸＺ平面図をそれぞれ示す。
【００２４】
前述のように、ストロボレバー１１は、ストラップ取付部材９と本体部材１３との間に配置されている。ストロボレバー１１には、摺動リブ１１ａ、１１ｂが設けられている。摺動リブ１１ａ、１１ｂは、ストラップ取付部材９の取付け面９ｇ（図４（ｂ）参照）と摺動する。ストロボレバー１１は、ビス１５を挟んで、ビス１５のＹ方向上側に摺動リブ１１ａが配置され、ビス１５のＹ方向下側に摺動リブ１１ｂが配置されるように構成されている。ストロボ５をポップアップさせるためにストロボレバー１１を操作した場合、ストロボレバー１１はＺ方向に移動するため、摺動リブ１１ａと１１ｂはビス１５と接触しない。ストラップ保持部材１２の腕部１２ｃには、ビス座１２ｎが設けられている。腕部１２ｃにビス１７を締結することで、腕部１２ｃとビス１７との間に配置されたトップカバー１９およびサイドカバー１８（まとめて外装部材という）が同時に締結される。
【００２５】
図５（ｂ）に示されるように、ストロボレバー１１が収納されている空間は、ビス１４、１６が締結されるビス座１３ｃ、１３ｄに挟まれた領域である。その空間には、ストロボレバー１１から見て、＋Ｚ方向（図５（ｂ）の左側）にビス座１３ｃが、−Ｚ方向（図５（ｂ）の右側）にビス座１３ｄが配置されている。ストロボ５をポップアップするためにユーザがストロボレバー１１をＺ方向に移動させた場合でも、ストロボレバー１１はビス座１３ｃ、１３ｄの間に収納されている。
【００２６】
このように本実施形態において、電子機器（デジタルカメラ１）は、ストラップ取付部材９、保持部材（ストラップ保持部材１２）、外装部材（サイドカバー１８およびトップカバー１９）、および、本体部材１３を有する。ストラップ取付部材は、ストラップを取付可能である。保持部材は、第一のビス（ビス１５）によりストラップ取付部材を保持する。外装部材は、ストラップ取付部材の一部を露出させる開口１８ａが形成されている。本体部材は、第二のビス（ビス１４、１６）により保持部材が固定されている。外装部材は、第三のビス（ビス１７）により保持部材に固定されている。
【００２７】
好ましくは、保持部材は腕部１２ｃを有し、外装部材は第三のビスにより保持部材の腕部に固定されている。より好ましくは、保持部材の腕部は、第三のビスを固定するビス固定部（ビス座１２ｎ）を有する。また好ましくは、ストラップ取付部材は、開口９ｂが形成された曲げ部９ｆを有し、保持部材の腕部は、ストラップ取付部材の開口に挿入されている。また好ましくは、保持部材は、第一の面１２ｈと、第一の面の両端にそれぞれ設けられた第二の面１２ｋおよび第三の面１２ｍとを有する。ストラップ取付部材の一部（非外観部）は、保持部材の第一の面で覆われており、保持部材は、第二の面および第三の面において、第二のビスにより本体部材に固定されている。
【００２８】
好ましくは、電子機器は、ストロボ５をポップアップするストロボレバー１１を有し、ストロボレバーは、ストラップ取付部材と本体部材との間に配置されている。より好ましくは、ストロボレバーには、第一のビスと異なる位置に、ストロボレバーの移動を補助する摺動リブ１１ａ、１１ｂが設けられている。また好ましくは、ストラップ取付部材９の開口９ｂの長手方向の中心と、保持部材の第三のビスを固定するビス固定部（ビス座１２ｎ）の中心と、第一のビスの中心とは同一直線上（略同一直線上）にある。また好ましくは、ストラップ取付部材は金属からなる。
【００２９】
本実施形態において、ストラップ取付部材９の曲げ部９ｆに開口９ｂを設け、開口９ｂにストラップ保持部材１２の腕部１２ｃを挿通し、腕部１２ｃに設けられたビス座１２ｎで外装部材（サイドカバー１８およびトップカバー１９）をビス１７で締結する。これにより、ストラップ取付部材９の小型化とストラップ取付部材９の近傍の外装部材の取り付けが可能となる。このため本実施形態によれば、ストラップ取付部材の近傍に外装部材を配置することが可能な小型の電子機器を提供することができる。
【００３０】
以上、本発明の好ましい実施形態について説明したが、本発明はこれらの実施形態に限定されず、その要旨の範囲内で種々の変形及び変更が可能である。
【００３１】
例えば、本発明のストラップは、金属製でも麻や木綿などの布製の紐であってもよい。また、紐の部分は、伸縮性を高めるためにゴム製でもよい。
【符号の説明】
【００３２】
１  撮像装置（電子機器）
９  ストラップ取付部材
１２  ストラップ保持部材（保持部材）
１３  本体部材
１４、１６  ビス（第二のビス）
１５  ビス（第一のビス）
１７  ビス（第三のビス）
１８  サイドカバー（外装部材）
１９  トップカバー（外装部材）
【図１】
2020118824.tif 000003
【図２】
2020118824.tif 000004
【図３】
2020118824.tif 000005
【図４】
2020118824.tif 000006
【図５】
2020118824.tif 000007